(57)【要約】【課題】歯ブラシなどの除菌対象物を傷めることなく、除菌対象物の除菌を適切に行うことのできる除菌ケースを提供すること。【解決手段】歯ブラシケース（１０１）は、イオン生成ユニット（４７）が生成したイオンを、歯ブラシ（２０１）を収納する除菌対象物収納部（３）に導くように風を送出するファン（４６）を備える。【選択図】図１
2015146992.tif 000002
【特許請求の範囲】
【請求項１】
除菌対象物を収納して、当該除菌対象物の除菌を行う除菌ケースであって、
上記除菌対象物を除菌するためのイオンを生成するイオン生成部と、
上記イオンを運ぶ風を発生させる送風部と、上記イオンを上記イオン生成部から上記除菌対象物を収納する空間に到達させるイオン通路とからなるイオン導入部と、
を備えていることを特徴とする除菌ケース。
【請求項２】
上記イオン生成部は、
プラスイオンを発生させるプラス端子と、マイナスイオンを発生させるマイナス端子とが、上記イオン導入部による通風方向と並行に、且つ所定の距離を保って配置されており、
上記イオン導入部は、
上記プラス端子およびマイナス端子のうち、上記通風方向の下流側に配置された端子を覆い、プラスイオンとマイナスイオンとを分離させるとともに上記イオン通路の一部を構成する分離部材を備えていることを特徴とする請求項１に記載の除菌ケース。
【請求項３】
上記イオン導入部は、
上記プラス端子およびマイナス端子のうち、上記通風方向の上流側に配置された端子に送風することを特徴とする請求項２に記載の除菌ケース。
【請求項４】
上記イオン通路は、
上記分離部材により分離されたプラスイオンおよびマイナスイオンのうち、送風により上記空間に導入されるイオンを当該空間に排出する第１イオン排出口と、上記第１イオン排出口から排出されるイオンと逆極性のイオンを上記空間に排出する第２イオン排出口とを有し、
上記第２イオン排出口のサイズは、上記第１イオン排出口のサイズより小さいことを特徴とする請求項３に記載の除菌ケース。
【請求項５】
上記第２イオン排出口は、上記第１イオン排出口に近接して形成されていることを特徴とする請求項４に記載の除菌ケース。
【発明の詳細な説明】
【技術分野】
【０００１】
本発明は、歯ブラシなどの除菌が必要な除菌対象物を収納した状態で、当該除菌対象物の除菌を行う除菌ケースに関する。
【背景技術】
【０００２】
歯ブラシの衛生を保つには、毛先の除菌が必要である。例えば、特許文献１には、歯ブラシを収納した状態で、当該歯ブラシの毛先にＵＶ（紫外線）を照射して除菌する携帯用歯ブラシケースが開示されている。
【先行技術文献】
【特許文献】
【０００３】
【特許文献１】特開平５−１８４４２３号公報（１９９３年７月２７日公開）
【発明の概要】
【発明が解決しようとする課題】
【０００４】
しかしながら、従来の携帯用歯ブラシケースでは、歯ブラシの毛先にＵＶを照射することで除菌しているため、ＵＶが照射されない部分は除菌されない。特に、毛が密集している場合には、互いの毛が陰になってＵＶが照射されない部分が多くなるので、除菌ムラが生じ、歯ブラシを適切に除菌できないという問題が生じる。
【０００５】
しかも、通常、樹脂はＵＶが照射されると劣化するため、毛先が樹脂でできている歯ブラシを従来の携帯用歯ブラシケースで何度も除菌すると、ＵＶ照射により歯ブラシが傷むという問題が生じる。
【０００６】
本発明は、上記の各問題点に鑑みなされたものであり、その目的は、歯ブラシなどの除菌対象物を傷めることなく、除菌対象物の除菌を適切に行うことのできる除菌ケースを提供することにある。
【課題を解決するための手段】
【０００７】
上記の課題を解決するために、本発明の一態様に係る除菌ケースは、除菌対象物を収納して、当該除菌対象物の除菌を行う除菌ケースであって、上記除菌対象物を除菌するためのイオンを生成するイオン生成部と、上記イオンを運ぶ風を発生させる送風部と、上記イオンを上記イオン生成部から上記除菌対象物を収納する空間に到達させるイオン通路とからなるイオン導入部と、を備えていることを特徴としている。
【発明の効果】
【０００８】
本発明の一態様によれば、除菌対象物を傷めることなく、除菌対象物の除菌を適切に行うことができるという効果を奏する。
【図面の簡単な説明】
【０００９】
【図１】本発明の実施形態１に係る歯ブラシケースのイオン生成機構の概略構成図である。
【図２】図１に示すイオン生成機構のイオン排出口の構造を説明するための概略構成図である。
【図３】本発明の原理を説明するための図である。
【図４】本発明の実施形態１に係る歯ブラシケースの概略構成斜視図である。
【図５】図４に示す歯ブラシケースの開放状態を示す概略構成斜視図である。
【図６】図４に示す歯ブラシケースに歯ブラシを収納した状態を示す概略構成斜視図である。
【図７】図４に示す歯ブラシケースにおいて除菌部側から見た場合の概略構成斜視図である。
【図８】図４に示す歯ブラシケースの分解斜視図である。
【図９】図８に示す除菌装置の概略構成斜視図である。
【図１０】図９に示す除菌装置の分解斜視図である。
【図１１】図９に示す除菌装置を別角度から見た概略構成斜視図である。
【図１２】本発明の実施形態２に係る箸ケースの概略構成斜視図である。
【図１３】本発明の変形例に係る除菌ケースの概略構成斜視図である。
【図１４】本発明の実施形態３に係るジュエリーケースの概略構成斜視図である。
【図１５】図１４に示すジュエリーケースに備えられた除菌装置の概略構成斜視図である。
【発明を実施するための形態】
【００１０】
〔実施形態１〕
本発明の一実施形態について説明すれば、以下の通りである。なお、本実施形態では、本発明の除菌ケースを歯ブラシケースに適用した例について説明する。
【００１１】
（歯ブラシケースの概要）
まず、歯ブラシケース１０１の概要を図４〜図８を参照しながら以下に説明する。
【００１２】
図４は、本実施形態に係る歯ブラシケース１０１の概略構成斜視図である。
【００１３】
図５は、図４に示す歯ブラシケース１０１の開放状態を示す概略構成斜視図である。
【００１４】
図６は、図４に示す歯ブラシケース１０１に歯ブラシ２０１を収納した状態を示す概略構成斜視図である。
【００１５】
図７は、図４に示す歯ブラシケース１０１において除菌部３１ａ側から見た場合の概略構成斜視図である。
【００１６】
図８は、図４に示す歯ブラシケース１０１の分解斜視図である。
【００１７】
歯ブラシケース１０１は、図４に示すように、例えば長さＬが１８５ｍｍ、幅Ｗが２７．５ｍｍ、高さＨが２７．５ｍｍの略直方体形状であり、図８に示すように、４つの部材で構成されている。すなわち、歯ブラシケース１０１は、ケース上部部材１及びケース下部部材２と、当該ケース上部部材１とケース下部部材２によって覆われ、除菌対象物としての歯ブラシ２０１を収納して除菌するための除菌対象物収納部３と、除菌対象物収納部３に設けられ、歯ブラシ２０１を除菌するためのイオンを生成させるイオン生成機構を搭載した除菌装置４との４つの部材で構成されている。
【００１８】
ケース上部部材１は、ケース下部部材２とヒンジ（図示せず）により回動自在に支持されている。これにより、ケース上部部材１は、図５に示すように、ケース下部部材２との接続部分であるヒンジを中心に回動することで、除菌対象物収納部３を開放状態にし、または閉鎖状態にする蓋として機能している。なお、ケース上部部材１は、蓋として機能させればよいため、上述のように回動自在に設けられている必要はなく、ケース下部部材２から完全に切り離すことができるように、ケース下部部材２に対して着脱可能に形成されていてもよい。
【００１９】
除菌対象物収納部３は、図６に示すように、除菌対象物としての歯ブラシ２０１を設置する設置部３１を有している。設置部３１は、歯ブラシ２０１の先端２０１ｂの毛先２０２を除菌するための除菌部３１ａと、当該歯ブラシ２０１の把持部２０１ａを載置する載置部３１ｂとで構成されている。除菌部３１ａは、下向き（ケース下部部材２側）に窪んだ形状となり、この窪んだ部分に歯ブラシ２０１の毛先２０２が入り込むようになっている。なお、設置部３１の除菌部３１ａと載置部３１ｂとの境界近傍には、歯ブラシ２０１の先端を支えるための支持枠３２が設けられている。なお、この支持枠３２は、歯ブラシ２０１の毛先２０２が除菌部３１ａに適切に配置できるように配置位置及び高さが調整されている。
【００２０】
また、除菌対象物収納部３には、除菌部３１ａに除菌用のイオンを供給するためのイオン生成機構を有する除菌装置４が設置部３１内部に収納されている。そして、設置部３１の除菌部３１ａと載置部３１ｂとの境界部分には、図７に示すように、上記イオン生成機構から発生したイオンを、ファン４６（図９）が発生した風に乗せて除菌部３１ａに吹き出すための通風部が形成されている。
【００２１】
上記構成の歯ブラシケース１０１では、図６に示すように、除菌対象となる歯ブラシ２０１を、毛先２０２を除菌部３１ａの窪んだ部分に入り込むように載置するので、通風部から除菌部３１ａに吹き出されたイオンにより、毛先２０２が除菌される。とりわけ、風の流れによってイオンが除菌部３１ａに充満することから、毛先２０２の毛の一本一本にイオンを行き渡らせることが可能となる。さらに、風により、毛先２０２を乾燥させることもできる。従って、従来のように、ＵＶ照射による除菌を行う場合のような除菌ムラが生じず、毛先２０２の全体が除菌され、且つ、菌の繁殖を防ぐことができる。
【００２２】
また、上記構成の歯ブラシケース１０１では、図６に示すように、歯ブラシ２０１を載置した状態で、ケース上部部材１を閉じて、図４に示すような閉鎖状態にして除菌を行えば、当該歯ブラシケース１０１内部にイオンが充満されることになるため、除菌部３１ａだけでなく、載置部３１ｂまでイオンが入り込むようになり、歯ブラシ２０１の把持部２０１ａの除菌も行え、歯ブラシ２０１の全体の除菌が可能となる。
【００２３】
（イオン生成機構を備えたシャーシ組品の概要）
図９は、除菌装置４の概略構成斜視図である。
【００２４】
図１０は、図９に示す除菌装置４の分解斜視図である。
【００２５】
図１１は、図９に示す除菌装置４を別角度から見た概略構成斜視図である。
【００２６】
除菌装置４は、図９及び図１０に示すように、シャーシ４１上に搭載されたスイッチ基板４２、ＵＳＢ（Universal serial bus）基板４３、メイン基板４４、バッテリー４５、ファン４６（イオン導入部）、イオン生成ユニット４７（イオン生成部）、分離部材４８（イオン導入部）から成る。
【００２７】
シャーシ４１は、除菌対象物収納部３に収納可能なサイズの長方形状の板状の部材（金属、樹脂）からなる。
【００２８】
スイッチ基板４２は、歯ブラシケース１０１に設けられたスイッチ（図示せず）からのＯＮ・ＯＦＦに応じて、当該歯ブラシケース１０１における除菌の開始・停止の切り替えを制御するための基板である。
【００２９】
ＵＳＢ基板４３は、ＵＳＢ端子を備え、当該ＵＳＢ端子に接続されたＵＳＢケーブル（図示せず）を介してバッテリー４５を充電するための充電用の基板である。
【００３０】
メイン基板４４は、除菌装置４上に搭載された各部の制御を行うための制御基板である。
【００３１】
ファン４６は、イオンを運ぶ風を発生させる送風部であり、ファンを回転させて得られる風をイオン生成ユニット４７側に吹き付けるようになっている。
【００３２】
イオン生成ユニット４７は、除菌用のマイナスイオンおよびプラスイオンを生成する装置である。なお、以下の説明において、イオンの極性を区別する必要のある場合以外は、単に「イオン」と称して説明する。
【００３３】
分離部材４８は、イオン生成ユニット４７で生成したマイナスイオンとプラスイオンとを分離するための部材である。この分離部材４８によるイオンの分離についての詳細は後述する。
【００３４】
除菌装置４は、図１１に示すように、イオン生成ユニット４７を中心としてファン４６と反対側に、当該イオン生成ユニット４７で生成したイオンを排出するためのイオン排出部４９が形成されている。ここで、イオン生成ユニット４７で生成したイオンは、ファン４６が発生する風により、当該ファン４６と反対側に排出するためのイオン排出部４９に向かって導かれ、排出される。
【００３５】
イオン排出部４９には、２つの排出口（第１イオン排出口４９ａ、第２イオン排出口４９ｂ：イオン導入部）が形成されている。これにより、第１イオン排出口４９ａ及び第２イオン排出口４９ｂから排出されたイオンは、除菌部３１ａに吹き出される。
【００３６】
上記構成のファン４６、分離部材４８、第１イオン排出口４９ａ、および第２イオン排出口４９ｂを、まとめて「イオン導入部」と称する。なお、分離部材４８、第１イオン排出口４９ａ、第２イオン排出口４９ｂによって、イオンをイオン生成ユニット４７（イオン生成部）から歯ブラシ２０１（除菌対象物）を収容する空間（除菌部３１ａ及び載置部３１ｂ）に到達させるイオン通路を形成している。つまり、上記イオン導入部は、ファン４６と上記イオン通路とからなり、イオン生成ユニット４７で生成したイオンに送風して、除菌対象物である歯ブラシケース１０１を収納する空間（除菌部３１ａ及び載置部３１ｂ）に上記イオンを導入するものである。
【００３７】
なお、上記構成の除菌装置４における主要箇所のサイズは、例えば図１１に示すように、シャーシ４１の長さＬ４が１７７．５ｍｍ、幅Ｗ１が２２．２ｍｍであり、イオン排出部４９の端面からマイナス端子までの距離Ｄが２８．５ｍｍであり、第１イオン排出口４９ａの高さＨ２が３ｍｍ、幅Ｗ２が２０．０ｍｍであり、第２イオン排出口４９ｂの高さＨ３が０．５ｍｍ、幅Ｗ３が０．７５ｍｍである。
【００３８】
以下に、イオン生成機構について詳細に説明する。ここで、イオン生成機構は、イオン生成ユニット４７と、上述したイオン導入部（ファン４６、分離部材４８、第１イオン排出口４９ａ、第２イオン排出口４９ｂ）とを含んでいる。
【００３９】
イオン生成機構について説明する前に、本発明の原理について図３を参照しながら説明する。
【００４０】
図３は、本発明の原理を説明するための図である。
【００４１】
本発明では、図３の（ａ）に示すように、プラスイオンを発生する＋端子（図示せず）と、マイナスイオンを発生する−端子とが、ファン（後述するファン４６に相当）による送風の方向（通風方向）と並行に、且つ所定の距離を保って配置されている。そして、プラスイオンに送風せずにマイナスイオンに送風するように、＋端子を覆う分離部材（後述する分離部材４８に相当）が形成されている。これにより、送風されたマイナスイオンが分離部材の上段側を通ってイオン排出口（第１イオン排出口４９ａに相当）から排出される。一方、プラスイオンは、図３の（ｂ）に示すように、分離部材の下段側の、＋端子の近傍に設けられたイオン排出口（第２イオン排出口４９ｂに相当）から排出される。
【００４２】
ここで、イオンが排出される空間は、除菌するための空間（歯ブラシ２０１を収納する空間）であることから、除菌を適切に行うために、プラスイオンとマイナスイオンの量のバランスを保つことが望ましい。プラスイオンとマイナスイオンの量のバランスを保つために、図３の（ａ）（ｂ）に示すように、マイナスイオンを排出するマイナスイオン排出口（第１イオン排出口４９ａに相当）のサイズと比べて、プラスイオンを排出するプラスイオン排出口（第２イオン排出口４９ｂに相当）のサイズを小さく形成している。このように、２つのイオンの排出口のサイズを異ならせる理由の詳細については後述する。
【００４３】
（イオン生成機構の構造）
まず、本実施形態の歯ブラシケース１０１が備えるイオン生成機構の構造について以下に説明する。
【００４４】
図１の（ａ）（ｂ）は、イオン生成機構の概略構成図である。
【００４５】
イオン生成機構は、図１の（ａ）に示すように、除菌装置４上に設けられた、イオン生成ユニット４７とファン４６とを少なくとも含んでいる。ここで、イオン生成ユニット４７は、マイナスイオンを発生させる−端子（マイナス端子）、プラスイオンを発生させる＋端子（プラス端子）の２つの端子を有している。これら２つの端子は、発生したプラスイオンとマイナスイオンとが干渉しない距離を離して設ける必要がある。このため、歯ブラシケース１０１のような幅の狭い筐体では、イオン生成ユニット４７の−端子と、＋端子とを、除菌装置４の長手方向に配置する必要がある。つまり、＋端子と、−端子とは、イオン導入部（ファン４６）による通風方向と並行に、且つ所定の距離を保って配置されている。
【００４６】
本実施形態では、−端子をファン４６側、＋端子をイオン排出部４９側に配置している。これにより、イオン生成ユニット４７の各端子で発生したイオンは、ファン４６が発生する風によって、イオン生成ユニット４７から当該ファン４６と反対側の除菌部３１ａに導かれる。
【００４７】
ところで、イオン生成ユニット４７の各端子が所望の距離を離して形成されていても、イオン発生後、ファン４６が発生する風により除菌部３１ａに導かれるまでに、プラスイオンとマイナスイオンとが干渉してしまうと、除菌部３１ａにおいて除菌を適切に行えない。
【００４８】
そこで、図１の（ｂ）に示すように、−端子を残して、＋端子を覆うようにした分離部材４８を設けることによって、イオン生成ユニット４７で生成したプラスイオンとマイナスイオンとを分離して各イオンを干渉させない状態でイオン排出部４９から排出し、除菌部３１ａまで導かれるようにしている。すなわち、上記イオン通路の一部を構成する分離部材４８によって、上記通風方向（送風方向）の下流側に配置された＋端子を覆い、プラスイオンとマイナスイオンとを分離させている。ここで、分離部材４８の上側は、−端子から発生したマイナスイオンが導かれ、分離部材４８の下側は、＋端子から発生したプラスイオンが導かれる。
【００４９】
なお、本実施形態では、上記イオン導入部は、上記通風方向の上流側に配置された−端子に送風している。具体的には、上記イオン導入部を構成するファン４６を用いて、マイナスイオンに送風するようにしている。この場合、分離部材４８に覆われている＋端子から発生するプラスイオンには送風されないか、又は、ほとんど送風されない。なお、＋端子と−端子とを入れ替えて配置する場合（つまり、通風方向の上流側に＋端子を配置し、かつ、分離部材４８が−端子を覆うように形成する場合）は、プラスイオンに送風され、マイナスイオンには送風されないか、又は、ほとんど送風されない。つまり、上記イオン導入部は、プラスイオンを発生させる＋端子、および、マイナスイオンを発生させる−端子のうち、上記通風方向の上流側に配置された端子に送風するものである。
【００５０】
これにより、除菌部３１ａ及び載置部３１ｂを含む歯ブラシケース１０１の収納空間に導入されるプラスイオンおよびマイナスイオンの量を調整している。このイオン量の調整については後述する。
【００５１】
（イオン排出口の構造）
次に、上記イオン生成機構におけるイオン排出口の構造について以下に説明する。
【００５２】
図２の（ａ）〜（ｃ）は、イオン排出部４９におけるマイナスイオンおよびプラスイオンの排出口の概要を説明する図である。
【００５３】
図２の（ａ）は、分離部材４８が設置部３１によって覆われることで、２つのイオン排出口を形成したことを示す図である。図２の（ｂ）は、図２の（ａ）の拡大対象領域Ａを拡大した図であり、図２の（ｃ）は、図２の（ｂ）の拡大対象領域Ｂを拡大した図である。
【００５４】
イオン排出部４９は、図２の（ｃ）に示すように、板状部材であり、上部にマイナスイオンを排出する第１イオン排出口４９ａが形成され、下部にプラスイオンを排出する第２イオン排出口４９ｂが形成されている。ここで、第２イオン排出口４９ｂのサイズは、第１イオン排出口４９ａのサイズよりも小さく絞り込まれている。図１の（ａ）に示すように、−端子が＋端子よりもイオン排出部４９から遠い位置に形成されているため、発生したマイナスイオンがイオン排出部４９に到達する量が、発生したプラスイオンがイオン排出部４９に到達する量よりも少ない。そこで、プラスイオンを排出する第２イオン排出口４９ｂのサイズを、マイナスイオンを排出する第１イオン排出口４９ａのサイズよりも小さくすることで、除菌部３１ａに排出されるマイナスイオンとプラスイオンの量のバランス（イオンバランス）を保つように調整している。
【００５５】
なお、本実施形態では、イオン生成ユニット４７によって生成したマイナスイオンを第１イオン排出口４９ａから排出し、プラスイオンを第２イオン排出口４９ｂから排出する例について説明したが、これに限定されるものではない。例えば、イオン生成ユニット４７において＋端子と−端子とを逆にするとともに、プラスイオンを第１イオン排出口４９ａから排出し、マイナスイオンを第２イオン排出口４９ｂから排出するようにしてもよい。すなわち、上記イオン導入部のイオン通路は、分離部材４８により分離されたプラスイオンおよびマイナスイオンのうち、送風により歯ブラシ２０１を収納した空間（除菌部３１ａ、載置部３１ｂ）に導入されるイオンを当該空間に排出する第１イオン排出口４９ａと、第１イオン排出口４９ａから排出されるイオンと逆極性のイオンを上記空間に排出する第２イオン排出口４９ｂとを有しており、第２イオン排出口４９ｂのサイズは、第１イオン排出口４９ａのサイズよりも小さく形成されている。
【００５６】
なお、イオン排出部４９のサイズを例示すると、例えば図２の（ｂ）および（ｃ）に示すように、イオン排出部４９の高さＨ１は１０．７ｍｍである。また、図２の（ｃ）に示すように、第１イオン排出口４９ａの高さＨ２は３ｍｍ、幅Ｗ２は２０ｍｍである。また、第２イオン排出口４９ｂは、第１イオン排出口４９ａより１．０ｍｍ程度下側に形成されており、高さＨ３は０．５ｍｍ、幅Ｗ３は０．７５ｍｍである。なお、これらのサイズは特に限定されるものではなく、排出されるプラスイオンとマイナスイオンの量のバランスを保てるサイズであればよい。
【００５７】
また、第２イオン排出口４９ｂは、第１イオン排出口４９ａに近接して形成されていることが好ましい。これは、第１イオン排出口４９ａから上記空間に排出される風が引き起こす気流によって、第２イオン排出口４９ｂ付近に存在するプラスイオンを上記空間に誘い出すためである。
【００５８】
また、第２イオン排出口４９ｂからのイオンの排出量を制御する目的で、イオン排出部４９に、第１イオン排出口４９ａから遠く、且つ、第２イオン排出口４９ｂから離れた位置に開口部（図示せず）を形成してもよい。この開口部を通じて上記空間からイオン生成ユニット４７側へ気体が吸引されると、第２イオン排出口４９ｂからのイオン排出が助長されるため、結果として、第２イオン排出口４９ｂから排出されるイオンの量を多くすることが可能となる。
【００５９】
上記構成の歯ブラシケース１０１は、除菌対象物として歯ブラシ２０１以外に、箸の除菌も行うことが可能である。以下の実施形態２は、除菌対象物として箸を例にした説明を行う。
【００６０】
〔実施形態２〕
本発明の他の実施形態について説明すれば、以下の通りである。なお、本実施形態では、本発明の除菌ケースを箸ケースに適用した例について説明する。また、説明の便宜上、前記実施形態１にて説明した部材と同じ機能を有する部材については、同じ符号を付記し、その説明を省略する。
【００６１】
（箸ケースの概要）
図１２は、本実施形態に係る箸ケース１０２の概略斜視図である。
【００６２】
図１２に示す箸ケース１０２は、前記実施形態１の歯ブラシケース１０１と同じ構成であり、除菌対象物収納部３の設置部３１上に、除菌対象物として歯ブラシ２０１の代わりに箸３０１が載置されている。箸３０１は、使用者が手の指で支える支持部３０１ａと、食べ物を挟む挟部３０１ｂとで構成されている。従って、除菌すべき箇所は主に、挟部３０１ｂであるので、箸３０１を箸ケース１０２に載置する際には、挟部３０１ｂが設置部３１の除菌部３１ａに対向する位置になるようにする。
【００６３】
なお、上記構成の箸ケース１０２でも箸３０１の挟部３０１ｂの除菌は可能であるが、さらに、箸ケース１０２のイオンの吹出し方向を、除菌部３１ａ上の挟部３０１ｂに向くように形成することで、挟部３０１ｂをより効果的に除菌することが可能となる。
【００６４】
また、歯ブラシケース１０１の場合にも説明したが、箸ケース１０２の場合においても箸３０１を載置した状態でケース上部部材１を閉じて、閉鎖状態にして除菌を行えば、当該箸ケース１０２内部に除菌のためのイオンが充満されることになるため、除菌部３１ａだけでなく、載置部３１ｂまでイオンが入り込むようになり、箸３０１の支持部３０１ａの除菌も行え、箸３０１全体の除菌が可能となる。
【００６５】
なお、本実施形態では、除菌対象物として箸３０１を収納した例について説明したが、箸に限定されるものではなく、スプーン、フォーク、ナイフ等の他のカトラリー類であってもよい。
【００６６】
〔変形例〕
（歯ブラシケース、箸ケースの変形例）
前記実施形態１の歯ブラシケース１０１、前記実施形態２の箸ケース１０２では、何れも除菌対象物収納部３における除菌領域としての除菌部３１ａは、設置部３１の一部を窪ませた形状となっているが、これに限定されるものではなく、図１３に示すような除菌ケース１０３であってもよい。
【００６７】
除菌ケース１０３は、図１３に示すように、歯ブラシケース１０１や箸ケース１０２の除菌対象物収納部３に代えて、除菌対象物収納部３’を備えている。除菌対象物収納部３’は、歯ブラシ２０１または箸３０１を載置するための設置部３１’を有している。設置部３１’の先端部に形成された除菌領域としての除菌部３１ａ’は、窪みではなく、設置部３１’の載置部３１ｂ’から一段下がった平面となっている。この除菌部３１ａ’にも、イオンを吹き出すことで、歯ブラシ２０１や箸３０１の除菌を行うようになっている。
【００６８】
従って、除菌領域の形状は、除菌対象物を配置してイオンによる除菌が可能な形状、すなわち吹き出されるイオンの対流が生じる形状であれば、どのような形状でもよく、図４等に示す窪み形状（除菌部３１ａ）であってもよく、今回のように、図１３に示す段差による平面形状（除菌部３１ａ’）であってもよい。
【００６９】
〔実施形態３〕
本発明のさらに他の実施形態について説明すれば、以下の通りである。なお、本実施形態では、本発明の除菌ケースを、装身具の一つである宝飾品（以下では、ジュエリーとも称する）を収納するジュエリーケースに適用した例について説明する。また、説明の便宜上、前記実施形態１、２にて説明した部材と同じ機能を有する部材については、同じ符号を付記し、その説明を省略する。
【００７０】
（ジュエリーケースの概要）
図１４は、ジュエリーケース１０４の概略構成斜視図である。
【００７１】
ジュエリーケース１０４は、図１４に示すように、ジュエリーの一例である指輪４０１を収納するための筐体１１と、筐体１１を上面から閉鎖するための蓋体１２と、筐体１１内に搭載され、収納した指輪４０１などのジュエリーをイオンによって除菌するための除菌装置１３とを有している。つまり、筐体１１の内部の指輪４０１を収納している領域が除菌領域１１ａとなる。この除菌領域１１ａは、前記実施形態１で説明した除菌部３１ａに相当する領域となる。
【００７２】
（イオン生成機構を備えた除菌装置の概要）
除菌装置１３は、基本的に、前記実施形態１，２で用いた除菌装置４と同じ構造であるが、異なる点は、図１５に示すように、メイン基板４４とファン４６との間でシャーシ４１が折曲されている点である。折曲方向は、ファン４６とメイン基板４４とが外側になる向きであり、折曲角度は、ほぼ９０°である。これは、除菌装置１３を筐体１１の内壁に沿って配置することを考慮して設定されたものであるので、筐体１１の形状によって、折曲方向や折曲角度は変更される。ここで重要なのは、除菌装置１３を筐体１１に配置したときに、イオン排出部４９と当該筐体１１の内壁との間に適当な距離が保たれていることである。ここでの適当な距離とは、イオン排出部４９の第１イオン排出口４９ａ及び第２イオン排出口４９ｂから排出されるイオンが当該イオン排出部４９に対向する筐体１１の内壁に当たることで、当該イオンが筐体１１内の除菌領域１１ａに収納された指輪４０１に適切に導くことができる距離である。
【００７３】
なお、本実施形態では、除菌対象物のジュエリーとして指輪４０１を収納した例について説明したが、これ以外の装身具であってもよい。なお、本実施形態の装身具は、主として、人が直に身につけるものを想定しており、例えば、指輪、ネックレス、ブレスレット、アンクレット、イヤリング、ピアス等の宝飾品、時計、眼鏡等が典型例である。
【００７４】
〔まとめ〕
本発明の態様１に係る除菌ケースは、除菌対象物（歯ブラシ２０１、箸３０１、指輪４０１）を収納して、当該除菌対象物の除菌を行う除菌ケース（歯ブラシケース１０１、箸ケース１０２、ジュエリーケース１０４）であって、上記除菌対象物を除菌するためのイオンを生成するイオン生成部（イオン生成ユニット４７）と、上記イオンを運ぶ風を発生させる送風部（ファン４６）と、上記イオンを上記イオン生成部から上記除菌対象物を収納する空間に到達させるイオン通路（分離部材４８、第１イオン排出口４９ａ、第２イオン排出口４９ｂ）とからなるイオン導入部と、を備えている。
【００７５】
上記の構成によれば、除菌対象物を収納する空間に除菌のためのイオンが送出されるので、当該除菌対象物はイオンにより除菌される。イオンによる除菌では、ＵＶ照射による除菌と異なり、除菌対象物の全体を除菌することができる。しかも、ＵＶ照射とは異なり、除菌対象物を傷めることがない。よって、除菌対象物を傷めることなく、除菌対象物の除菌を適切に行うことができる。
【００７６】
本発明の態様２に係る除菌ケースは、上記態様１において、上記イオン生成部（イオン生成ユニット４７）は、プラスイオンを発生させるプラス端子（＋端子）と、マイナスイオンを発生させるマイナス端子（−端子）とが、上記イオン導入部による通風方向と並行に、且つ所定の距離を保って配置されており、上記イオン導入部は、上記プラス端子およびマイナス端子のうち、上記通風方向の下流側に配置された端子を覆い、プラスイオンとマイナスイオンとを分離させるとともに上記イオン通路の一部を構成する分離部材４８を備えていてもよい。
【００７７】
上記の構成によれば、分離部材によって、プラス端子およびマイナス端子のうち、上記送風方向の下流側に配置された端子を覆い、プラスイオンとマイナスイオンとを分離させているので、プラスイオンとマイナスイオンとが干渉し合う虞がない。従って、プラスイオンとマイナスイオンとの干渉に起因する除菌効果の低下を無くすことができる。
【００７８】
本発明の態様３に係る除菌ケースは、上記態様２において、上記イオン導入部は、上記プラス端子およびマイナス端子のうち、上記通風方向の上流側に配置された端子に送風してもよい。
【００７９】
上記構成によれば、イオン導入部は、上記プラスイオンおよびマイナスイオンの何れか一方に送風することで、除菌対象物が収納された収納部に導入されるプラスイオンおよびマイナスイオンの量を調整することが可能となる。これにより、除菌対象物が収納された収納部に導入されるプラスイオンおよびマイナスイオンの量をほぼ同じにすることが可能となり、この結果、除菌対象物に対する除菌を適切に行うことを可能にする。
【００８０】
本発明の態様４に係る除菌ケースは、上記態様３において、上記イオン導入部は、上記分離部材により分離されたプラスイオンおよびマイナスイオンのうち、送風により上記空間に導入されるイオンを当該空間に排出する第１イオン排出口４９ａと、上記第１イオン排出口４９ａから排出されるイオンと逆極性のイオンを上記空間に排出する第２イオン排出口４９ｂとを有し、上記第２イオン排出口のサイズは、上記第１イオン排出口のサイズより小さいことが好ましい。
【００８１】
上記の構成によれば、除菌対象物が収納された収納部に導入されるプラスイオンおよびマイナスイオンの量を適切に調整することができる。これにより、除菌対象物に対する除菌を適切に行うことができる。
【００８２】
本発明の態様５に係る除菌ケースは、上記態様４において、上記第２イオン排出口は、上記第１イオン排出口に近接して形成されていることが好ましい。
【００８３】
上記の構成によれば、第１イオン排出口から除菌対象物を収納した空間に排出される風が引き起こす気流によって、第２イオン排出口付近に存在するプラスイオンを上記空間に誘い出すことができるので、プラスイオンが第２イオン排出口から上記空間に排出されやすくなる。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。例えば、各実施の形態ではファンは通風方向の上流側に位置して風を送り出すようにしているが、通風方向の下流側に位置して風を吸い込むように構成してもよい。また、除菌のために導入されるイオンは、たとえば、＋端子に正電圧が印加され、コロナ放電により空気中の水分子が電離して生成される水素イオンが空気中の水分と結合して主としてＨ＋（Ｈ２Ｏ）ｍから成るプラスイオンと、−端子に負電圧が印加され、コロナ放電により空気中の酸素分子または水分子が電離して生成される酸素イオンが空気中の水分と結合して主としてＯ２−（Ｈ２Ｏ）ｎから成るマイナスイオンなど、除菌効果のあるイオンであればよい。
【００８５】
さらに、各実施形態にそれぞれ開示された技術的手段を組み合わせることにより、新しい技術的特徴を形成することができる。
【産業上の利用可能性】
【００８６】
本発明は、歯ブラシ、箸、スプーン、フォーク、装身具（ジュエリー等）等の除菌対象物を収納した状態で除菌する除菌ケースに利用することができる。
【符号の説明】
【００８７】
１  ケース上部部材
２  ケース下部部材
３  除菌対象物収納部（除菌対象物を収納する空間）
３’  除菌対象物収納部（除菌対象物を収納する空間）
４  除菌装置
１１  筐体
１１ａ  除菌領域
１２  蓋体
１３  除菌装置
３１  設置部
３１’  設置部
３１ａ  除菌部
３１ａ’  除菌部
３１ｂ  載置部
３１ｂ’  載置部
３２  支持枠
４６  ファン（イオン導入部）
４７  イオン生成ユニット（イオン生成部）
４８  分離部材（イオン導入部、イオン通路）
４９  イオン排出部
４９ａ  第１イオン排出口（イオン導入部、イオン通路）
４９ｂ  第２イオン排出口（イオン導入部、イオン通路）
１０１  歯ブラシケース（除菌ケース）
１０２  箸ケース（除菌ケース）
１０３  除菌ケース
１０４  ジュエリーケース（除菌ケース）
２０１  歯ブラシ（除菌対象物）
２０１ａ  把持部
２０１ｂ  先端
２０２  毛先
３０１  箸（除菌対象物）
３０１ａ  支持部
３０１ｂ  挟部
４０１  指輪（除菌対象物）
【図４】
2015146992.tif 000003
【図５】
2015146992.tif 000004
【図６】
2015146992.tif 000005
【図７】
2015146992.tif 000006
【図８】
2015146992.tif 000007
【図９】
2015146992.tif 000008
【図１０】
2015146992.tif 000009
【図１１】
2015146992.tif 000010
【図１２】
2015146992.tif 000011
【図１３】
2015146992.tif 000012
【図１４】
2015146992.tif 000013
【図１５】
2015146992.tif 000014
【図１】
2015146992.tif 000015
【図２】
2015146992.tif 000016
【図３】
2015146992.tif 000017